(57)【要約】      （修正有）【課題】フリーストッパー解除装置に対する配線を引戸の開閉によって動くことがなく、またフリーストップ機構が十分に機能するフリーストッパー解除装置を提供する。【解決手段】出入り口に配置される引戸７と、引戸７上部に取り付けられる走行車輪６を載置し引戸７を吊り下げる走行用レール３と、引戸７を任意の位置で停止せしめるためのフリーストッパー機構２を備え、非常時等に該フリーストッパー機構２を解除せしめるフリーストッパー解除装置において、引戸７の閉じ方向又は開き方向に付勢手段１５によって付勢したキッカー１０をストッパー用レール４に案内されて移動するように設け、該キッカー１０は係止機１２によって停止させ、解除信号の印可によって前記係止機構１２を解除し、キッカー１０を前記付勢手段１５によって引戸７の閉じ方向又は開き方向に移行させフリーストッパー２１による引戸７の停止を解除する。【選択図】図１
2005127025.tif 000002
【特許請求の範囲】
【請求項１】
出入り口に配置される引戸と、引戸上部に取り付けられる走行車輪を載置し引戸を吊り下げる走行用レールと、引戸を任意の位置で停止せしめるためのフリーストッパー機構を備え、非常時等に該フリーストッパー機構を解除せしめるフリーストッパー解除装置において、走行車輪を載置する走行用レールに並設したストッパー用レールを備え、引戸から延設されたブラケットに取り付けた弾性係止部材からなるフリーストッパーが前記ストッパー用レールに傾斜した状態で接するように配備するとともに、引戸の閉じ方向又は開き方向に付勢手段によって付勢したキッカーをストッパー用レールに案内されて移動するように設け、該キッカーは係止機構によって停止させ、解除信号の印可によって前記係止機構を解除し、キッカーを前記付勢手段によって引戸の閉じ方向又は開き方向に移行させフリーストッパーによる引戸の停止を解除することを特徴とするフリーストッパー解除装置。
【請求項２】
フリーストッパー解除機構のキッカー及び係止機構は、引戸全開位置においてフリーストッパー機構よりも戸袋側に配備したことを特徴とする請求項１記載のフリーストッパー解除装置。
【請求項３】
ストッパー用レールは、断面Ｔ字状に形成し、ストッパー解除機構は、キッカーがストッパー用レールに案内される案内片を具備するとともに、引戸の閉じ方向に付勢する付勢手段にワイヤーを介して連結されていることを特徴とする請求項１又は２記載のフリーストッパー解除装置。
【請求項４】
出入り口に配置される引戸と、引戸上部に取り付けられる走行車輪を載置し引戸を吊り下げる走行用レールと、引戸を任意の位置で停止せしめるためのフリーストッパー機構を備え、非常時等に該フリーストッパー機構を解除せしめるフリーストッパー解除装置において、走行車輪を載置する走行用レールに並設したストッパー用レールを備え、引戸から延設されたブラケットに取り付けた弾性係止部材からなるフリーストッパーが前記ストッパー用レールに傾斜した状態で接するように配備するとともに、ストッパー用レールに案内されてフリーストッパーを押し廻してくぐり抜けるて移動するキッカーを、ストッパー用レール両端の待機位置に設け、該キッカーの走行方向両端には駆動源を備えた作動索を連結し、解除信号の印可によって駆動源を作動せしめ、キッカーを前記作動索によって引戸の閉じ方向又は引戸の反閉じ方向に移行させフリーストッパーによる引戸の停止を解除することを特徴とするフリーストッパー解除装置。
【発明の詳細な説明】
【技術分野】
【０００１】
本発明は、災害時などの緊急時に引戸を任意の位置で停止させるフリーストッパーの停止状態を解除させるフリーストッパー解除装置に関し、特に、引戸に、配線が必要な電気機器を配備することのないフリーストッパー解除装置に関するものである。
【背景技術】
【０００２】
従来、フリーストッパー解除装置としては、煙検知機や非常事態警報装置からの信号の印可によってソレノイドを作動せしめ、フリーストッパーの作動状態を解除する装置が提案されている。
【０００３】
ところで、この従来のフリーストッパー解除装置７０は、図７に示すように、フリーストッパー装置を取り付ける支持金具７１の一端側を枢軸７３にて垂直面内で回動可能に枢支し、該支持金具７１に、その自由端と枢軸７３との間にて、縦長の楕円形の弾性ストッパー片７２を垂直面内で揺動可能にその上部を枢軸７３ａにて枢支している。
支持金具７１の自由端には該金具７１の回動面と直交して突子７７が突設され、該突子７７は、壁側のブラケットに開設した溝孔７８にスライド可能に嵌まっている。溝孔７８は、ブラケットの枢軸７３を半径中心とする円弧状に形成されている。
支持金具７１の自由端上部近傍にはソレノイド７５が配備され、該ソレノイド７５にはプランジャ７６が、支持金具７１の自由端の上向き回動移行路に出没可能に横向に連繋されている。
【０００４】
プランジャ７６は、バネ７４にて常時は飛び出し方向に付勢され、支持金具７１の自由端の上に位置して該自由端の上向きへの移行を阻止するストッパーとなっている。
ソレノイド７５は、プランジャ７６をバネ７４に抗して引戻し、支持金具７１の上向きへの移行路から退避させる退避手段となっている。
支持金具７１の自由端はトーションバネ７９等の付勢手段によって上向き移行方向に付勢されている。
【０００５】
図７（ａ）に示す如く、弾性ストッパー片７２は引戸の移動に伴い下端が引戸の閉じ方向に又は引戸の反閉じ方向に少し傾いた状態を保ってレール８０上を移動し、引戸の任意位置において下端が引戸の閉じ方向に少し傾いた状態で引戸を停止せしめるものである。
ソレノイド７５には配線された交流電源等の電源が電気的に接続され、更に、煙検知器や火災報知器等の非常事態警報装置８１が、連繋されている。
【０００６】
警報装置８１が異常を検出し信号を発すると、ソレノイド７５に印可され、図７（ｂ）に示す如く、プランジャ７６は支持金具７１の上向きの移行路から退避する。
支持金具７１は、トーションバネ７９の等の付勢力によって自由端が上昇し、それに伴って弾性ストッパー片７２は鉛直姿勢となり、レール８０から離れて、弾性ストッパー片７２とレール８０との摩擦はなくなる。
【０００７】
これにより、レール８０の傾斜と引戸の自重によって引戸は自動的に閉じる。
非常事態警報装置８１からの信号によって、フリーストップ装置の停止機能を解除し、人手を要することなく速やかに引戸を閉じて、被害の拡大を防止するようにしたものである（例えば、特許文献１参照。）。
【０００８】
しかし、このフリーストッパー解除装置は、引戸と一体に移動するフリーストップ装置の近傍に設置する必要があり、ソレノイドに電力等を供給する配線は開閉する引戸の戸尻側に垂れ下がり状に配設されており、断線することがあり、この場合、引戸を引戸枠（戸袋）から抜き出し確認しなければ配線の欠落を確認できず、作業に多大な手数を有するとともに、これら従来のフリーストップ装置では、弾性の係止部材が走行車輪と同じレールの上を走行することが一般的であり、走行車輪がレールとの間で摩耗する際に発生する粉塵などによってフリーストップ機構が十分に働かないことがあるという問題があった。
【特許文献１】特許第２９３７８２８号公報
【発明の開示】
【発明が解決しようとする課題】
【０００９】
本発明は、上記従来のフリーストッパー解除装置の有する問題点に鑑み、フリーストッパー解除装置に対する配線を引戸の開閉によって動くことがなく、またフリーストップ機構が十分に機能するフリーストッパー解除装置を提供することを目的とする。
【課題を解決するための手段】
【００１０】
上記目的を達成するため、出入り口に配置される引戸と、引戸上部に取り付けられる走行車輪を載置し引戸を吊り下げる走行用レールと、引戸を任意の位置で停止せしめるためのフリーストッパー機構を備え、非常時等に該フリーストッパー機構を解除せしめるフリーストッパー解除装置において、走行車輪を載置する走行用レールに並設したストッパー用レールを備え、引戸から延設されたブラケットに取り付けた弾性係止部材からなるフリーストッパーが前記ストッパー用レールに傾斜した状態で接するように配備するとともに、引戸の閉じ方向又は開き方向に付勢手段によって付勢したキッカーをストッパー用レールに案内されて移動するように設け、該キッカーは係止機構によって停止させ、解除信号の印可によって前記係止機構を解除し、キッカーを前記付勢手段によって引戸の閉じ方向又は開き方向に移行させフリーストッパーによる引戸の停止を解除することを特徴とする。
【００１１】
この場合において、フリーストッパー解除機構のキッカー及び係止機構は、引戸全開位置においてフリーストッパー機構よりも戸袋側に配備することができる。
【００１２】
また、ストッパー用レールは、断面Ｔ字状に形成し、ストッパー解除機構は、キッカーがストッパー用レールに案内される案内片を具備するとともに、引戸の閉じ方向に付勢する付勢手段にワイヤーを介して連結することができる。
【００１３】
また、第２の発明は、出入り口に配置される引戸と、引戸上部に取り付けられる走行車輪を載置し引戸を吊り下げる走行用レールと、引戸を任意の位置で停止せしめるためのフリーストッパー機構を備え、非常時等に該フリーストッパー機構を解除せしめるフリーストッパー解除装置において、走行車輪を載置する走行用レールに並設したストッパー用レールを備え、引戸から延設されたブラケットに取り付けた弾性係止部材からなるフリーストッパーが前記ストッパー用レールに傾斜した状態で接するように配備するとともに、ストッパー用レールに案内されてフリーストッパーを押し廻してくぐり抜けるて移動するキッカーを、ストッパー用レール両端の待機位置に設け、該キッカーの走行方向両端には駆動源を備えた作動索を連結し、解除信号の印可によって駆動源を作動せしめ、キッカーを前記作動索によって引戸の閉じ方向又は引戸の反閉じ方向に移行させフリーストッパーによる引戸の停止を解除することを特徴とする。
【発明の効果】
【００１４】
本発明のフリーストッパー解除装置によれば、フリーストッパー解除装置は、フリーストッパーの解除に必要な部材を引戸に取り付けることがないからフリーストッパー解除装置を作動せしめるための印可信号を送る配線が動くことなく使用中に抜け落ちることもない。また、引戸を停止させているフリーストッパーのレールに対する摩擦力を上回る程度の小さな付勢力をキッカーによってフリーストッパーに与えるだけで、フリーストッパーの作動状態を解除することができるとともに、走行車輪が乗るレールに並設されたストッパー用レールにフリーストッパーを作用させ、また、このレールに案内されてキッカーを移行させるから、走行車輪が乗るレール上に発生する走行車輪とレール間で摩耗などによって生じる塵埃や、走行車輪の経年変化によって生じる内部からの塵埃によってフリーストッパーの機能やキッカーの移行性能を低下させることのないフリーストッパー解除装置を提供することができる。
【００１５】
また、フリーストッパー解除機構のキッカー及び停止機構を、引戸全開位置においてフリーストッパー機構よりも戸袋側に配備することによりフリーストッパー機構とフリーストッパー解除機構のキッカーが干渉することなく引戸を任意の位置で停止させるという本来のフリーストッパー機能を十分に果たすことができる。
【００１６】
また、フリーストッパー解除装置のキッカーがストッパー用レールに案内される案内片を具備する時は、ワイヤーを介して付勢手段の付勢力がキッカーに生じた時、キッカーがストッパー用レールに案内されて移動しフリーストッパーを確実に解除することができる。
【００１７】
また、第２の発明によるときは、キッカーの移動に駆動源を用いるからフリーストッパーの引戸停止の解除に十分な付勢力を与えることができるから引戸停止の解除を確実に行うことができる。
【発明を実施するための最良の形態】
【００１８】
以下、本発明のフリーストッパー解除装置の実施の形態を、図面に基づいて説明する。
【実施例１】
【００１９】
図１〜図４に、本発明のフリーストッパー解除装置の第１実施例を示す。
このフリーストッパー解除装置１は、引戸７が自重又は適宜付勢手段によって常時は閉じ方向に付勢されており、引戸７に配備したフリーストッパー機構２によって任意位置にて引戸７を停止せしめる引戸装置に応用するものである。
引戸７の構造は、周知のフリーストッパー機構付きの引戸と略々同様構造で、上部に逆Ｌ字状のフランジ６ｂと車輪部６ａからなる走行車輪６を閉じ側と開き側の２箇所に備え、壁面に備えられた２重レール３の走行用レール５上に載置し、閉じ側のフランジ６ｂに、フリーストッパー機構２を取り付けたもので、一般に走行用レール５を閉じ方向に下向きに傾斜させることによって引戸７を閉じ方向に付勢するようにしている。
【００２０】
フリーストッパー機構２は、閉じ側のフランジ６ｂ適所から延設したフランジ２２の一端に揺動自在に支持された弾性係止部材からなる周知のフリーストッパー２１を設けたもので、フリーストッパー２１が２重レール３のストッパー用レール４の上面に若干傾斜した姿勢で当接する位置に調整される。２１ａはフリーストッパー２１の上向きの回動量を規制するストッパーである。
【００２１】
本発明のフリーストッパー解除装置１は、図１に示すとおり、ストッパー用レール４に案内されて移動するキッカー１０及び、壁面に適宜手段で取り付けたフランジ１６に配備した前記キッカー１０を係止するＬ字状の係止機構１２と該係止機構１２の一端１２ｃを下側（キッカー１０側）に付勢するトーションバネ１３と、係止機構１２の他端１２ｂと接続され非常事態警報装置３０からの印可信号によって係止機構１２によるキッカー１０の係止を解除するソレノイド１１及び、引戸７の閉じ側戸枠の上面に設けられ、ワイヤー１４によってキッカー１０と連結される付勢手段１５からなる。
【００２２】
係止機構１２を取り付けたフランジ１６とキッカー１０は、引戸７の全開位置においてフリーストッパー機構２よりも戸袋７Ａ側に配備され、引戸７が全開位置においてフリーストッパー機構２により停止している時もキッカー１０はフリーストッパー機構２に干渉することはない。
【００２３】
キッカー１０には、断面Ｔ字状に形成したストッパー用レール４に案内されて移動できるように案内片１０ａが形成されている。そして、キッカー１０の作動領域はフリーストッパー２１の引戸反閉じ側とされている。
これによりキッカー１０はワイヤー１４の引っ張りを受けた時、ストッパー用レール４に案内されてストッパー用レール４の上面を滑るように移行し、フリーストッパー２１を押し回すことができる。
【００２４】
付勢手段１５は、内部に巻バネを備え、常時ワイヤー１４を引き込むように構成したものであるが、付勢手段１５の位置に固定滑車を配備し、ワイヤー１４の先端に一定重量の錘を吊り下げるように構成してもよく、キッカー１０が係止機構１２による係止を解除された時に、引戸を停止させているフリーストッパー２１の摩擦力を上回る程度の力を持つことのできる付勢手段であればその構成を特に限定するものではない。
【００２５】
上記構成において、図２に示す位置で引戸７がフリーストッパー機構２により停止している時に、火災等の緊急事態が発生した時、非常事態警報装置３０からの印可信号によってソレノイド１１が作動し、常時トーションバネ１３によってキッカー１０側に付勢されている係止機構１２が支点１２ａを軸に図例によると左回転し、キッカー１０から係止機構１２がはずれ、キッカー１０は付勢手段１５の付勢力によってワイヤー１４を介しストッパー用レール４に案内されて左側に移行する。
【００２６】
付勢手段１５の付勢力によって移行するキッカー１０は、図３に示す位置でフリーストッパー２１に当接して、フリーストッパー２１を回動させると、ストッパー用レール４の間に隙間が生じ引戸７を停止さている摩擦力は解除される。
【００２７】
これにより引戸７は自重又は適宜付勢手段によって閉鎖方向に動き、火災などの災害発生時に引戸７を閉じるとができ、煙の侵入などによる二次災害を未然に防止することができる。
キッカー１０の作動後の係止機構１２への再セット操作は次のとおりである。すなわち、引戸７を戸袋７Ａ側に移動させると、引戸７に支持されたフリーストッパー２１でキッカー１０を戸袋７Ａ側に押し戻し、キッカー１０が係止機構１２を押し回してその一端１２Ａをくぐり抜けた（通過した）時、キッカー１０が係止機構１２によって戻り止めされる。
このように、引戸７を戸袋７Ａ側に移動させるだけでキッカー１０の再セットが完了する。
【実施例２】
【００２８】
図５に、本発明のフリーストッパー解除装置の第２実施例を示す。
このフリーストッパー解除装置１は、引戸７が自重又は適宜付勢手段によって常時は閉じ方向に付勢されており、引戸７に配備したフリーストッパー機構２によって任意位置にて引戸７を停止せしめる引戸装置に応用するものである点は第１実施例と同様で、キッカー１０をストッパー用レール４に案内されてフリーストッパー２１を押し廻してくぐり抜けストッパー用レール４の両端の待機位置に移動するようにしたものである。
【００２９】
このフリーストッパー解除装置１に用いられるキッカー１０の走行方向両端には、作動索となるチェーン４０が連結されている。
チェーン４０はストッパー用レール４の両端部に定置されたスプロケット４１に巻き掛けられて、一方のスプロケット４１Ａにはモータ４２が連結されており、キッカー１０はモータ４２の正転、逆転によってチェーン４０により引動力を受け、ストッパー用レール４に案内されてストッパー用レール４の端部まで走行し、リミットスイッチ４３Ａ（４３Ｂ）を蹴って作動させた時、モータ４２が停止されてその位置に待機するようになっている。
モータ４２は非常事態警報装置３０からの信号がリミット信号器４３、回転方向切替制御器４４Ａを介して印加され、前回とは逆の方向に回転作動し、リミット信号で停止するようになっている。
上記の例ではチェーン４０を引動するモータ４１は一方のスプロケット４１Ａにのみ設けられているが、図５（ｃ）に示すように両スプロケット４１Ａ、４１Ｂのそれぞれにモータ４２Ａ、４２Ｂを装備しておき、非常事態警報装置３０の信号がリミット信号器４３に連動していずれかの一方向回転モータ４２Ａ、４２Ｂを選択駆動してキッカー１０を走行させるようにしてもよい。
４４Ｂは選択駆動制御器を示す。
【実施例３】
【００３０】
図６に、本発明のフリーストッパー解除装置の第３実施例を示す。
このフリーストッパー解除装置１は、引戸７が自重又は適宜付勢手段によって常時は閉じ方向に付勢されており、引戸７に配備したフリーストッパー機構２によって任意位置にて引戸７を停止せしめる引戸装置に応用するものである点は第１、第２実施例と同様で、係止機構１２を取り付けたフランジ１６とキッカー１０を引戸７の閉じ側に配備するようにしたものである。
図例は引戸７が閉鎖状態を示し、フリーストッパー２１は閉鎖状態においてストッパー用レール４の切り欠き部分ｓに位置するもので、これにより、引戸７の初期開放力を小さく押さえることができる。
この切り欠き部分ｓの幅はキッカー１０の長さより小さく形成せしめることによりキッカー１０の走行に支障をきたすことはない。
【００３１】
この際、付勢手段１５は戸袋７Ａ側の適宜位置に配備すればよく、フリーストッパー解除装置１の作動後に手動でキッカー１０を初期状態に復帰させる点を考慮し、復帰後のキッカー１０の待機位置は引戸７全閉位置においてフリーストッパー機構２と干渉しない位置に設置する。
１４Ａは手動でキッカー１０を初期状態に復帰させるための手動索を示す。
【００３２】
このフリーストッパー解除装置１は、キッカー１０が付勢手段１５の付勢力によってフリーストッパー２１を図６（ｂ）に示す傾斜と反対傾斜（図６（ｃ）参照）になるように押し廻し、キッカー１０はフリーストッパー２１を押し廻した後にくぐり抜けるように構成するもので、キッカー１０はフリーストッパー２１の支軸下を通過する高さに構成させ、キッカー１０に連結されている。
ワイヤー１４、手動索１４Ａは側面図に示すとおりフリーストッパー２１よりも壁面側を通るように構成する。
【００３３】
係止機構１２の一端１２ｃを図例の如く下側（キッカー１０側）に延設し、付勢するトーションバネ１３の付勢力によってその先端をキッカー１０に設けた溝部１０ａに嵌め込むように構成する。
これにより、実施例１と同様、非常事態警報装置３０からの印可信号によってソレノイド１１が作動し、常時トーションバネ１３によってキッカー１０側に付勢されている係止機構１２が支点１２ａを軸に図例によると右回転し、キッカー１０から係止機構１２がはずれ、キッカー１０は付勢手段１５の付勢力によってワイヤー１４を介しストッパー用レール４に案内されて右側に移行し、フリーストッパー２１に当接して、右側に強く押し付けることによってフリーストッパー２１の傾斜を図６（ｂ）に示す角度と逆の角度まで回動させ、キッカー１０はフリーストッパー２１の下を通過し、フリーストッパー２１がストッパー用レール４に対し、反閉じ方向に傾斜するため引戸７を停止さている摩擦力は解除され、引戸７は自重又は適宜付勢手段によって閉じ方向に移動する。
【００３４】
以上、本発明のフリーストッパー解除装置について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００３５】
以上、本発明のフリーストッパー解除装置は、フリーストッパーによる引戸の停止状態を非常に小さな力で確実に解除することができるとともに、構成が簡単であるという特性を有していることから、新設建造物に用いることができるほか、例えば、レール部分の取り替えを行うだけで既設の建築物に適用する用途にも用いることができる。
【図面の簡単な説明】
【００３６】
【図１】本発明のフリーストッパー解除装置の実施例を示す一部切り欠きの正面図である。
【図２】本発明のフリーストッパー解除装置の作動前の状態を示す一部切り欠きの正面図と側面図である。
【図３】本発明のフリーストッパー解除装置の作動後の状態を示す一部切り欠きの正面図と側面図である。
【図４】解除機構のキッカーを示す側面図である。
【図５】本発明のフリーストッパー解除装置の別の実施例の作動要領を示す一部切り欠きの正面図と平面図である。
【図６】本発明のフリーストッパー解除装置の別の実施例の作動前の状態を示す一部切り欠きの正面図と側面図である。
【図７】従来のフリーストッパー解除装置の作動を説明する正面図である。
【符号の説明】
【００３７】
１    フリーストッパー解除装置
２    フリーストッパー機構
４    ストッパー用レール
５    走行用レール
６    走行用車輪
７    引戸
１２  係止機構
１４  ワイヤー
１５  付勢手段
２１  フリーストッパー
２２  ブラケット
１０ａ  案内片
【図１】
2005127025.tif 000003
【図２】
2005127025.tif 000004
【図３】
2005127025.tif 000005
【図４】
2005127025.tif 000006
【図５】
2005127025.tif 000007
【図６】
2005127025.tif 000008
【図７】
2005127025.tif 000009